(57)【要約】【課題】操作面と表示画面とが分離して設けられる場合であっても、使用者の操作性を向上させることが可能な入力装置、頭部装着型表示装置および入力装置の制御方法を提供する。【解決手段】画像表示装置１０と分離して設けられるコントローラー２０であって、指示体に操作される操作面４１と、操作面４１における指示体の操作状態を検出する操作制御部７２と、操作面４１に対する指示体の操作に対応した処理をする処理部と、を備え、処理部は、操作面４１において特定の操作を検出した場合、所定の機能を実行する。【選択図】図３
2014154074.tif 000002
【特許請求の範囲】
【請求項１】
表示装置と分離して設けられる入力装置であって、
指示体に操作される操作面と、
前記操作面における前記指示体の操作状態を検出する操作検出部と、
前記操作面に対する前記指示体の操作に対応した処理をする処理部と、を備え、
前記処理部は、
前記操作面において特定の操作を検出した場合、所定の機能を実行することを特徴とする入力装置。
【請求項２】
前記所定の機能は、
少なくとも十字キーによる入力操作と同様の機能を含むことを特徴とする請求項１に記載の入力装置。
【請求項３】
前記操作面は、
前記特定の操作を受け付ける特定操作領域を備えたことを特徴とする請求項１または２に記載の入力装置。
【請求項４】
前記表示装置の表示画面に選択可能な複数のオブジェクトが表示されている状態で、前記特定操作領域で前記指示体をスライドさせた後、前記特定操作領域から前記指示体を離す操作を検出した場合、
前記処理部は、
現在選択されているオブジェクトから前記指示体のスライド方向にある次のオブジェクトにフォーカスを移動することを特徴とする請求項３に記載の入力装置。
【請求項５】
前記表示装置の表示画面に選択可能な複数のオブジェクトが表示されている状態で、前記特定操作領域で前記指示体をスライドさせた後、前記スライド後の移動位置で前記指示体を接触させたまま維持する操作を検出した場合、
前記処理部は、
前記指示体が前記移動位置で維持される間、現在選択されているオブジェクトから前記指示体のスライド方向にある他のオブジェクトに対して順次フォーカスを移動することを特徴とする請求項３または４に記載の入力装置。
【請求項６】
前記表示装置の表示画面に選択可能な複数のオブジェクトが表示されている状態で、前記指示体により前記特定操作領域をタップする操作を検出した場合、
前記処理部は、
前記表示画面に表示された複数のオブジェクトのうち、現在選択されているオブジェクトに関連付けられた機能を実行することを特徴とする請求項３ないし５のいずれか１項に記載の入力装置。
【請求項７】
前記操作面は、前記特定操作領域と、前記指示体の操作に伴う座標情報に基づく通常操作を行うための通常操作領域と、を有し、
前記特定操作領域は、前記通常操作領域の一部と重畳する領域であり、
前記処理部は、
前記指示体が前記特定操作領域と重畳しない前記通常操作領域から、前記特定操作領域に移動する操作を検出した場合、前記特定操作領域を前記通常操作領域とみなして処理を行うことを特徴とする請求項３ないし６のいずれか１項に記載の入力装置。
【請求項８】
前記特定操作領域は、
前記操作面上の内側周縁に設けられていることを特徴とする請求項３ないし７のいずれか１項に記載の入力装置。
【請求項９】
前記処理部は、
前記表示装置の表示画面に対して、前記特定操作領域における前記指示体の操作に対応した情報を表示することを特徴とする請求項３ないし８のいずれか１項に記載の入力装置。
【請求項１０】
前記操作面に対する前記特定操作領域のサイズを設定するための設定部を備えたことを特徴とする請求項３ないし９のいずれか１項に記載の入力装置。
【請求項１１】
請求項１ないし１０のいずれか１項に記載の入力装置と、使用者の頭部に装着された状態において使用者に画像を視認させる透過型の表示装置と、から構成されることを特徴とする頭部装着型表示装置。
【請求項１２】
表示装置と分離して設けられる入力装置の制御方法であって、
前記入力装置は、
指示体に操作される操作面を有し、
前記操作面における前記指示体の特定の操作を検出するステップと、
検出した前記特定の操作に対応した所定の機能を実行するステップと、を実行することを特徴とする入力装置の制御方法。
【発明の詳細な説明】
【技術分野】
【０００１】
本発明は、指示体の接触による操作が可能な操作面を有する入力装置、頭部装着型表示装置および入力装置の制御方法に関するものである。
【背景技術】
【０００２】
従来、パーソナルコンピューター（ＰＣ）などの情報処理装置の操作手段として、タッチパッドなどのポインティングデバイスが搭載されたものがある（例えば、特許文献１参照）。この情報処理装置では、タッチパッドの操作面を指（指示体）でスライドさせることで表示画面上のポインター（カーソル）を移動させて対象となるオブジェクト（アイコンなど）を指定し、その後に操作面の近傍に設けられたボタンを押下することで当該オブジェクトの選択やオブジェクトに関連付けられたアプリケーションの実行などを行うことができる。
【先行技術文献】
【特許文献】
【０００３】
【特許文献１】特開２００４−１９９４２６号公報
【発明の概要】
【発明が解決しようとする課題】
【０００４】
しかしながら、上記のようなタッチパッドを用いて操作を行う場合、使用者の指がぶれるなどの原因により、ポインターの移動方向を一定方向に保つことが難しく、思うように目的の位置までポインターを動かすことが難しいという問題がある。また、通常、タッチパッドは表示画面と分離して設けられているため、使用者は、分離した表示画面のポインターを見ながらタッチパッドを操作しなければならない。言い換えれば、分離した表示画面上のポインターを相対的操作によって移動させることになるため、使用者は直感的な操作ができず、操作性が著しく低下するという問題があった。
【０００５】
本発明は、上記の問題に鑑み、操作面と表示画面とが分離して設けられる場合であっても、使用者の操作性を向上させることが可能な入力装置、頭部装着型表示装置および入力装置の制御方法を提供することを目的とする。
【課題を解決するための手段】
【０００６】
本発明の入力装置は、表示装置と分離して設けられる入力装置であって、指示体に操作される操作面と、操作面における指示体の操作状態を検出する操作検出部と、操作面に対する指示体の操作に対応した処理をする処理部と、を備え、処理部は、操作面において特定の操作を検出した場合、所定の機能を実行することを特徴とする。
【０００７】
本発明の入力装置の制御方法は、表示装置と分離して設けられる入力装置の制御方法であって、入力装置は、指示体に操作される操作面を有し、操作面における指示体の特定の操作を検出するステップと、検出した特定の操作に対応した所定の機能を実行するステップと、を実行することを特徴とする。
【０００８】
本発明の構成によれば、使用者は操作面上で特定の操作（特定操作）をするだけで、当該特定の操作に対応した所定の機能を実行することができる。このため、従来のように、表示画面を見ながら、操作面上で何度も指（指示体）をスライドさせてポインターを目的の位置に移動させるなどの煩雑な操作を行う必要がなく、直感的な操作を行うことができ、操作性を向上させることができる。また、使用者の操作に係る負担を軽減できる。
【０００９】
本発明の入力装置において、所定の機能は、少なくとも十字キーによる入力操作と同様の機能を含むことが好ましい。
【００１０】
本発明の構成によれば、操作面上の特定の操作で、十字キー（上下左右スイッチ）を操作した場合と同様の機能を実現できる。これにより、操作面上の操作で直感的な操作を行うことができる。また、入力装置に十字キーを設ける必要が無いため、従来のように、指（指示体）を操作面から十字キーに移動させてスイッチを押すなどの操作も不要になり、使用者の操作に係る負担を軽減することができる。また、十字キーを設けるスペースが不要となるため、特に、小型の入力装置（例えば、片手で持てるサイズ（手のひらサイズ）の入力装置など）の場合は、その分操作面を大きく形成することができ、使い勝手を良くすることができる。
【００１１】
本発明の入力装置において、操作面は、特定の操作を受け付ける特定操作領域を備えたことが好ましい。
【００１２】
本発明の入力装置において、表示装置の表示画面に選択可能な複数のオブジェクトが表示されている状態で、特定操作領域で指示体をスライドさせた後、特定操作領域から指示体を離す操作を検出した場合、処理部は、現在選択されているオブジェクトから指示体のスライド方向にある次のオブジェクトにフォーカスを移動することが好ましい。
【００１３】
本発明の構成によれば、特定操作領域で指示体をスライドさせた後、特定操作領域から指示体を離す操作をすることで、現在選択されているオブジェクトの１つ上側、１つ下側、１つ左側または１つ右側にあるオブジェクトにフォーカスを移動させる。すなわち、一般的な十字キーの上下スイッチや左右スイッチを１回押してオブジェクトのフォーカスを移動する場合と同様の機能を実現できる。これにより、操作面上の簡単な操作で、確実に目的のオブジェクトを選択できるため、使い勝手がよく、操作性を向上させることができる。
なお、上記のオブジェクトとは、例えば、画面表示されたアイコンや、選択画面における各選択項目などを意味する。
【００１４】
本発明の入力装置において、表示装置の表示画面に選択可能な複数のオブジェクトが表示されている状態で、特定操作領域で指示体をスライドさせた後、スライド後の移動位置で指示体を接触させたまま維持する操作を検出した場合、処理部は、指示体が移動位置で維持される間、現在選択されているオブジェクトから指示体のスライド方向にある他のオブジェクトに対して順次フォーカスを移動することが好ましい。
【００１５】
本発明の構成によれば、特定操作領域で指示体をスライドした後、スライド後の位置で指示体を接触させたまま維持することで、現在選択されているオブジェクトの上方向、下方向、左方向または右方向にある他のオブジェクトに対して順次フォーカスを移動させる。すなわち、一般的な十字キーの上下スイッチや左右スイッチを長押しして、連続的にフォーカスを移動させる場合と同様の機能を実現できる。これにより、選択したい（フォーカスをあてたい）オブジェクトが、現在選択されているオブジェクトから離れた位置にある場合であっても、操作面上の簡単な操作で、確実に目的のオブジェクトを選択できるため、使い勝手がよく、操作性を向上させることができる。
【００１６】
本発明の入力装置において、表示装置の表示画面に選択可能な複数のオブジェクトが表示されている状態で、指示体により前記特定操作領域をタップする操作を検出した場合、処理部は、表示画面に表示された複数のオブジェクトのうち、現在選択されているオブジェクトに関連付けられた機能を実行することが好ましい。
【００１７】
本発明の構成によれば、確定ボタン（実行ボタン）などのボタンを設けることなく、操作面上での簡単な操作で、確実に目的のオブジェクトの機能を実行することができる。
【００１８】
本発明の入力装置において、操作面は、特定操作領域と、指示体の操作に伴う座標情報に基づく通常操作を行うための通常操作領域と、を有し、特定操作領域は、通常操作領域の一部と重畳する領域であり、処理部は、指示体が特定操作領域と重畳しない通常操作領域から、特定操作領域に移動する操作を検出した場合、特定操作領域を通常操作領域とみなして処理を行うことが好ましい。
【００１９】
本発明の構成によれば、特定操作領域と通常操作領域とを物理的に別領域として設ける必要がないため、特定操作領域を設けても操作面の全てを通常操作領域として使用できる。言い換えれば、操作面に特定操作領域を設けることによって、通常操作領域を狭めることがない。
【００２０】
本発明の入力装置において、特定操作領域は、操作面上の内側周縁に設けられていることが好ましい。
【００２１】
本発明の構成によれば、特定操作領域を操作面上の内側周辺に設けることで、使用者が通常操作を行う場合に邪魔にならない。また、片手で持って片手で操作可能な入力装置の場合、特定操作領域が親指や人差し指に近い位置となるため、操作しやすいという利点がある。
【００２２】
本発明の入力装置において、処理部は、表示装置の表示画面に対して、特定操作領域における指示体の操作に対応した情報を表示することが好ましい。
【００２３】
本発明の構成によれば、今どんな操作をしているのかを使用者が簡単に把握できる。
【００２４】
本発明の入力装置において、操作面に対する特定操作領域のサイズを設定するための設定部を備えたことが好ましい。
【００２５】
本発明の構成によれば、設定により特定操作領域のサイズ（領域の範囲）を変更できるため、各使用者のそれぞれに対して使い勝手の良い操作手段を提供することができる。
【００２６】
本発明の頭部装着型表示装置は、上記に記載の入力装置と、使用者の頭部に装着された状態において使用者に画像を視認させる透過型の表示装置と、から構成されることを特徴とする。
【００２７】
本発明の構成によれば、操作性の良い入力装置を備えた頭部装着型表示装置を提供することができる。
【図面の簡単な説明】
【００２８】
【図１】本実施形態における頭部装着型表示装置の外観構成を示す説明図である。
【図２】タッチパッドの操作面を説明するための図である。
【図３】頭部装着型表示装置の機能構成について説明するブロック図である。
【図４】使用者が視認可能な虚像および外景の一例について説明する図である。
【図５】操作面の水平操作領域で操作が行われた場合の処理について説明する図である。
【図６】操作面の水平操作領域で操作が行われた場合の処理について説明する図である。
【図７】操作面の垂直操作領域で操作が行われた場合の処理について説明する図である。
【図８】操作面の垂直操作領域で操作が行われた場合の処理について説明する図である。
【図９】操作面のコーナー操作領域で操作が行われた場合の処理について説明する図である。
【発明を実施するための形態】
【００２９】
以下、添付の図面を参照し、本発明の一実施形態に係る入力装置、頭部装着型表示装置および入力装置の制御方法について説明する。本実施形態では、入力装置を頭部装着型表示装置に適用した例について説明する。
【００３０】
図１は、本発明の一実施形態における頭部装着型表示装置ＨＭの外観構成を示す説明図である。また、図２は、タッチパッド２２の操作面４１を説明するための図である。頭部装着型表示装置ＨＭは、使用者の頭部に装着されて、使用者の左右の眼前に虚像を形成するものであり、ヘッドマウントディスプレイ（Head  Mounted  Display：ＨＭＤ）とも呼ばれる。本実施形態の頭部装着型表示装置ＨＭは、使用者が虚像を視認すると同時に外景も直接視認可能な光学透過型の頭部装着型表示装置ＨＭ（透過型頭部装着型表示装置、シースルータイプ・ヘッドマウントディスプレイ）である。
【００３１】
図１に示すように、頭部装着型表示装置ＨＭは、使用者の頭部に装着された状態において使用者に虚像を画像として視認させる画像表示装置１０（表示装置）と、画像表示装置１０を制御するコントローラー（入力装置）２０とを備えている。
【００３２】
画像表示装置１０は、使用者の頭部に装着される装着体であり、本実施形態では眼鏡形状を有している。画像表示装置１０は、右保持部１１と、右表示駆動部１２と、左保持部１３と、左表示駆動部１４と、右光学像表示部１５と、左光学像表示部１６とを有している。
【００３３】
右光学像表示部１５および左光学像表示部１６は、頭部装着型表示装置ＨＭの装着時における使用者の右および左の眼前に対応する位置に配置されている。右光学像表示部１５の一端と、左光学像表示部１６の一端は、それぞれ、頭部装着型表示装置ＨＭの装着時における使用者の眉間に対応する位置で接続されている。右光学像表示部１５の他端である端部ＥＲからは、右保持部１１が延伸している。同様に、左光学像表示部１６の他端である端部ＥＬからは、左保持部１３が延伸している。
【００３４】
右保持部１１は、右光学像表示部１５の端部ＥＲから頭部装着型表示装置ＨＭの装着時における使用者の側頭部に対応する位置にかけて、右光学像表示部１５とほぼ直角を成すように延伸して設けられた部材である。同様に、左保持部１３は、左光学像表示部１６の端部ＥＬから頭部装着型表示装置ＨＭの装着時における使用者の側頭部に対応する位置にかけて、左光学像表示部１６とほぼ直角を成すように延伸して設けられた部材である。右保持部１１と、左保持部１３は、眼鏡のテンプル（つる）のようにして、使用者の頭部に頭部装着型表示装置ＨＭを保持する。
【００３５】
右表示駆動部１２は、右保持部１１の内側、換言すれば、頭部装着型表示装置ＨＭの装着時における使用者の頭部に対向する側であって、右光学像表示部１５の端部ＥＲ側に配置されている。また、左表示駆動部１４は、左保持部１３の内側であって、左光学像表示部１６の端部ＥＬ側に配置されている。
【００３６】
画像表示装置１０は、また、右耳用の右イヤホン１８および左耳用の左イヤホン１９を有している。右イヤホン１８および左イヤホン１９は、使用者が頭部装着型表示装置ＨＭを装着した際に、それぞれ右および左の耳に装着される。
【００３７】
画像表示装置１０は、さらに、画像表示装置１０をコントローラー２０に接続するための接続部３０を有している。接続部３０は、コントローラー２０に接続される本体コード３１と、本体コード３１が２本に分岐した右コード３２と、左コード３３と、分岐点に設けられた連結部材３４と、を含んでいる。右コード３２は、右保持部１１の延伸方向の先端部ＡＰから右保持部１１の筐体内に挿入され、右表示駆動部１２に接続されている。同様に、左コード３３は、左保持部１３の延伸方向の先端部ＡＰから左保持部１３の筐体内に挿入され、左表示駆動部１４に接続されている。
【００３８】
画像表示装置１０とコントローラー２０とは、接続部３０を介して各種信号の伝送を行う。本体コード３１における連結部材３４とは反対側の端部にはコネクター３５が設けられており、コントローラー２０側に設けられたコネクター（図示省略）との嵌合／嵌合解除により、画像表示装置１０とコントローラー２０とが接続されたり切り離されたりする。本体コード３１と、右コード３２と、左コード３３には、例えば、金属ケーブルや、光ファイバーを採用することができる。
【００３９】
コントローラー２０は、画像表示装置１０と接続部３０を介して接続し、画像表示装置１０による画像表示を制御する装置である。コントローラー２０は、点灯部２１と、タッチパッド２２と、操作キー群２３と、電源スイッチ２４とを有している。
【００４０】
点灯部２１は、頭部装着型表示装置ＨＭの動作状態を、その発光状態によって通知する。頭部装着型表示装置ＨＭの動作状態とは、例えば、電源のＯＮ／ＯＦＦ状態等である。点灯部２１としては、例えば、ＬＥＤ（Light  Emitting  Diode）を用いることができる。操作キー群２３は、メニューキー、ホームキー、バックキーなどの各種操作キーを備えている。各操作キーが、使用者に押下されることにより、押下された操作キーに予め対応付けられた処理を示す信号を出力する。電源スイッチ２４は、スイッチのスライド操作により頭部装着型表示装置ＨＭの電源のＯＮ／ＯＦＦを切り替える。
【００４１】
タッチパッド２２は、長方形の操作面４１を有し、当該操作面４１上での指示体（本実施形態では、使用者の指とする）の操作に基づく信号を出力する。また、タッチパッド２２（操作面４１）の周囲には、コントローラー本体２０ａとの境界を示すために（言い換えれば、タッチパッド２２（操作面４１）の領域範囲を示すための）、やや突起して設けられた枠（以下、「操作面枠４２」と称す）が形成されている。
【００４２】
図２（ａ）に示すように、このタッチパッド２２の操作面４１は、操作面４１の全体（全面）に形成された通常操作領域５１と、操作面４１の内側周縁に沿って形成された特定操作領域５２と、を有している。この特定操作領域５２は、通常操作領域５１の一部と重畳する領域として形成されている。すなわち、図２（ａ）において通常操作領域５１は、図中の白色部分および網掛け部分から成る領域（操作面４１全面）であり、特定操作領域５２は、図中の網掛け部分の領域である。なお、特定操作領域５２は、タッチパッド２２（操作面４１）への接触を検出するためのセンサー部（図示省略）を形成する各走査線（横方向走査線および縦方向走査線）により構成される座標に基づいて決定される領域である。
【００４３】
通常操作領域５１は、一般的なタッチパッドの操作（例えば、使用者によるポインティング（位置指定）操作や、クリック操作、ドラッグ操作、フリック操作など。以下、これらを合わせて「通常操作」と称す）を受け付ける領域である。
【００４４】
一方、特定操作領域５２は、使用者による特定の操作（予め定められた手順の操作）に応じた特定の機能（所定の機能。通常操作に応じた機能とは異なる機能）が割り当てられた領域である。本実施形態では、特定操作領域５２には十字キーによる操作を行った場合と同様の機能や、ボタン操作を行った場合と同様の機能が割り当てられている。
【００４５】
この特定操作領域５２は、操作面４１の水平方向に延在する水平操作領域５２ａ（操作面４１の上辺および下辺の近傍の領域）と、垂直方向に延在する垂直操作領域５２ｂ（操作面４１の左辺および右辺の近傍の領域）と、水平操作領域５２ａと垂直操作領域５２ｂとが交差する（重畳する）操作面４１の４隅に位置するコーナー操作領域５２ｃと、に区分けされている。
【００４６】
水平操作領域５２ａには、十字キーの左右スイッチを操作した場合と同様の機能が割り当てられている。すなわち、使用者が水平操作領域５２ａで特定の操作をすることにより、十字キーの左スイッチまたは右スイッチが操作された場合と同様の処理を実行することができる。また、垂直操作領域５２ｂには、十字キーの上下スイッチを操作した場合と同様の機能が割り当てられている。すなわち、使用者が垂直操作領域５２ｂで特定の操作をすることにより、十字キーの上スイッチまたは下スイッチが操作された場合と同様の処理を実行することができる。また、コーナー操作領域５２ｃには、確定ボタン（実行ボタン）を操作した場合と同様の機能が割り当てられている。すなわち、使用者がコーナー操作領域５２ｃで特定の操作をすることにより、確定ボタンが操作された場合と同様の処理を実行することができる。なお、これら各操作領域５２ａ、５２ｂ、５２ｃにおける操作および当該操作に伴って行われる処理（機能）についての詳細は後述する。
【００４７】
なお、上述のように、本実施形態のコントローラー２０は長方形の形状を有しており（図１参照）、使用者から見てその長辺が左右に位置する向き（以下、「縦向き」と称す）で使用することもできるし、使用者から見て長辺が上下に位置する向き（以下、「横向き」と称す）で使用することもできる。言い換えれば、コントローラー２０の向きにより、タッチパッド２２の操作面４１を縦向きで使用することもできるし、横向きで使用することもできる。
【００４８】
本実施形態では、図２（ａ）のように操作面４１を縦向きで使用する場合、操作面４１の左側および右側の長辺の縁部に沿った領域が垂直操作領域５２ｂとして設定され、操作面４１の上側および下側の短辺の縁部に沿った領域が水平操作領域５２ａとして設定される。一方、図２（ｂ）のように操作面４１を横向きで使用する場合、操作面４１の左側および右側の短辺の縁部に沿った領域が垂直操作領域５２ｂとして設定され、操作面４１の上側および下側の長辺の縁部に沿った領域が水平操作領域５２ａとして設定される。すなわち、タッチパッド２２の操作面４１（コントローラー２０）の向きにかかわらず、使用者から見て操作面４１の水平方向の縁部が水平操作領域５２ａとなり、垂直方向の縁部が垂直操作領域５２ｂとなるように設定される。
【００４９】
また、図２では、便宜上、特定操作領域５２を点線および網掛けによって区分け表示しているが、実際のタッチパッド２２の操作面４１には点線および網掛けは形成されない。すなわち、実際には使用者は特定操作領域５２を視覚的に判別することはできない。しかしながら、本実施形態のタッチパッド２２には、その周囲に操作面枠４２が設けられ且つ操作面４１の内側縁部に沿って特定操作領域５２を設定している。したがって、使用者はこの操作面枠４２に沿って操作を行うことで（操作面枠４２と操作面枠４２近傍の操作面４１とを同時に指で触れながら操作を行うことで）、特定操作領域５２が視覚的に把握できなくても（言い換えれば、操作面４１を見なくても）、特定操作領域５２における操作を行うことが可能となっている。
【００５０】
次に、図３を参照して、頭部装着型表示装置ＨＭの機能構成について説明する。図３に示すように、コントローラー２０は、ＣＰＵ６１、記憶部６２、操作部６３、電源部６４、およびインターフェース６５を有している。
【００５１】
操作部６３は、上述したタッチパッド２２、操作キー群２３および電源スイッチ２４などの操作手段である。電源部６４は、頭部装着型表示装置ＨＭの各部に電力を供給するものであり、例えば、二次電池を用いることができる。インターフェース６５は、画像（静止画像、動画像）や音声等のコンテンツの供給元となる種々の外部機器ＯＡを接続するためのものである。外部機器ＯＡとしては、例えば、パーソナルコンピューター（ＰＣ）や携帯端末（携帯電話やスマートフォン等）、ゲーム端末等がある。インターフェース６５としては、例えばＵＳＢインターフェース、マイクロＵＳＢインターフェース、メモリーカード用インターフェース、無線ＬＡＮインターフェース等を採用することができる。
【００５２】
記憶部６２は、ＲＯＭ（Read  Only  Memory）やＲＡＭ（Random  Access  Memory）等により構成されており、種々のコンピュータープログラムが格納されている。ＣＰＵ６１は、記憶部６２からコンピュータープログラムを読み出して実行することにより、オペレーティングシステム（ＯＳ）７１や、操作制御部７２（操作検出部）、画像処理部７３、表示制御部７４、音声処理部７５として機能する。なお、請求項における処理部は、画像処理部７３および表示制御部７４を主要部とする。
【００５３】
操作制御部７２は、操作部６３における使用者の操作に応じて操作部６３から出力される操作信号を受信し、受信した操作信号に基づいて操作面４１上における操作状態（操作内容）を検出（判別）する。そして、画像処理部７３や表示制御部７４などに操作信号に応じた動作を行わせる。特に、本実施形態では、タッチパッド２２から出力される操作信号に応じて画像処理部７３や表示制御部７４などに動作を行わせる。
【００５４】
上述したように、本実施形態のタッチパッド２２は、通常操作領域５１と特定操作領域５２を有しており、特定操作領域５２は、通常操作領域５１と重畳した領域として設定されている。また、特定操作領域５２のコーナー操作領域５２ｃは、水平操作領域５２ａと垂直操作領域５２ｂとが重畳する領域（交差する領域）として設定されている。このため、操作制御部７２は、使用者の操作が通常操作領域５１で行われた操作か、特定操作領域５２のどの領域（水平操作領域５２ａ／垂直操作領域５２ｂ／コーナー操作領域５２ｃ）で行われた操作かを判定する。すなわち、操作面４１において使用者の指の操作状態を検出し、その検出結果に基づいてどの領域で行われた操作かを判定する。
【００５５】
この判定は、以下のようにして行われる。まず、特定操作領域５２と重畳しない通常操作領域５１（図２の白色部分の領域）内での操作信号を検出した場合、当然ではあるが、操作制御部７２は、当該操作は通常操作領域５１での操作であると判定する。一方、特定操作領域５２と重畳しない通常操作領域５１（図２の白色部分の領域）から特定操作領域５２に移動する操作信号を検出した場合、操作制御部７２は、当該操作は通常操作領域５１での操作であると判定する。すなわち、この場合、特定操作領域５２を通常操作領域５１と判定して処理を行う。
【００５６】
特定操作領域５２においては、水平操作領域５２ａ内や垂直操作領域５２ｂ内で使用者が指をスライド（指を操作面４１に接触させたまま移動させる操作）する操作信号を検出した場合、操作制御部７２は、十字キーの上下スイッチまたは左右スイッチに対応した機能を実行する操作信号であると判定する。この時、使用者の指のスライド先（終点）がコーナー操作領域５２ｃ内に位置した場合、指のスライド元（始点）の位置に基づいて、水平操作領域５２ａでの操作か、垂直操作領域５２ｂでの操作かを判定する。すなわち、水平操作領域５２ａ内（コーナー操作領域５２ｃ以外の領域）からコーナー操作領域５２ｃ内へスライドする操作が行われた場合は、水平操作領域５２ａでの操作（十字キーの左右スイッチに対応した機能を実行する操作信号）であると判定し、垂直操作領域５２ｂ内（コーナー操作領域５２ｃ以外の領域）からコーナー操作領域５２ｃ内へスライドする操作が行われた場合は、垂直操作領域５２ｂでの操作（十字キーの上下スイッチに対応した機能を実行する操作信号）であると判定する。
【００５７】
また、使用者の指がコーナー操作領域５２ｃ内に接触した状態で、そのまま水平操作領域５２ａにスライドされた場合、操作制御部７２は、水平操作領域５２ａでの操作（十字キーの左右スイッチに対応した機能を実行する操作信号）であると判定する。また、使用者の指がコーナー操作領域５２ｃ内に接触した状態で、そのまま垂直操作領域５２ｂにスライドされた場合、操作制御部７２は、垂直操作領域５２ｂでの操作（十字キーの上下スイッチに対応した機能を実行する操作信号）であると判定する。
【００５８】
一方、コーナー操作領域５２ｃをタップ（操作面４１に接触した後、所定時間内に操作面４１から離す操作）する操作信号を検出した場合、操作制御部７２は、確定キーの押下と同様の機能を実行する操作信号であると判定する。また、特定操作領域５２から、特定操作領域５２と重畳しない通常操作領域５１にスライドする操作を検出した場合は、操作制御部７２は、通常操作領域５１での操作であると判定する。すなわち、この場合、操作制御部７２は、特定操作領域５２における操作をキャンセルし、通常操作領域５１で操作が行われたものと判定する。
【００５９】
画像処理部７３は、インターフェース６５を介して入力されたコンテンツ等に基づいて画像表示装置１０に供給するための信号を生成し、画像表示装置１０へ送信する。画像表示装置１０に供給するための信号は、アナログ形式とデジタル形式の場合で異なる。
【００６０】
例えば、アナログ形式の場合、画像処理部７３はクロック信号ＰＣＬＫと、垂直同期信号ＶＳｙｎｃと、水平同期信号ＨＳｙｎｃと、画像データＤａｔａとを生成し、送信する。具体的には、画像処理部７３は、コンテンツに含まれる画像信号（例えば、１秒あたり３０枚のフレーム画像から構成されるアナログ信号）を取得し、取得した画像信号から垂直同期信号ＶＳｙｎｃと、水平同期信号ＨＳｙｎｃ等の同期信号を分離する。そして、画像処理部７３は、分離した垂直同期信号ＶＳｙｎｃや水平同期信号ＨＳｙｎｃ等に応じて図示しないＰＬＬ回路等を利用してクロック信号ＰＣＬＫを生成する。また、画像処理部７３は、同期信号が分離されたアナログ画像信号を、図示しないＡ／Ｄ変換回路等を用いてデジタル画像信号に変換して画像データＤａｔａを生成する。
【００６１】
一方、デジタル形式の場合、画像処理部７３は、クロック信号ＰＣＬＫと、画像データＤａｔａとを生成し、送信する。具体的には、コンテンツがデジタル形式の場合、クロック信号ＰＣＬＫが画像信号に同期して出力される。このため、垂直同期信号ＶＳｙｎｃおよび水平同期信号ＨＳｙｎｃおよびアナログ画像信号のＡ／Ｄ変換が不要となる。
【００６２】
なお、画像処理部７３は、必要に応じて画像データＤａｔａに対して、解像度変換処理や、輝度・彩度の調整といった色調補正処理や、キーストン補正処理等の画像処理を実行しても良い。
【００６３】
表示制御部７４は、右表示駆動部１２および左表示駆動部１４を制御する制御信号を生成し、画像表示装置１０に送信することにより、画像表示装置１０における画像表示状態を制御する。具体的には、表示制御部７４は、制御信号により、右ＬＣＤ制御部８３による右ＬＣＤ８４の駆動のＯＮ／ＯＦＦや、右バックライト制御部８１による右バックライト８２の駆動ＯＮ／ＯＦＦ、左ＬＣＤ制御部９３による左ＬＣＤ９４の駆動ＯＮ／ＯＦＦや、左バックライト制御部９１による左バックライト９２の駆動のＯＮ／ＯＦＦ等を個別に制御することにより、右表示駆動部１２および左表示駆動部１４のそれぞれによる画像光の生成および射出を制御する。例えば、表示制御部７４は、右表示駆動部１２および左表示駆動部１４の両方に画像光を生成させたり、一方のみに画像光を生成させたり、両方共に画像光を生成させなかったりする。
【００６４】
音声処理部７５は、コンテンツに含まれる音声信号を取得し、取得した音声信号を増幅して、右イヤホン１８および左イヤホン１９に送信する。
【００６５】
画像表示装置１０は、右表示駆動部１２と、左表示駆動部１４と、右光学像表示部１５としての右導光板８６と、左光学像表示部１６としての左導光板９６と、右イヤホン１８と、左イヤホン１９とを有している。なお、以下の説明では、右光学像表示部１５および右導光板８６と、左光学像表示部１６および左導光板９６と、を総称して「光学部材」とも呼ぶ。
【００６６】
右表示駆動部１２、光源として機能する右バックライト（ＢＬ）制御部８１および右バックライト（ＢＬ）８２と、表示素子として機能する右ＬＣＤ制御部８３および右ＬＣＤ８４と、右投写光学系８５を含んでいる。なお、以下の説明では、右バックライト制御部８１、右バックライト８２、右ＬＣＤ制御部８３および右ＬＣＤ８４を総称して「画像光生成部」とも呼ぶ。
【００６７】
右バックライト制御部８１は、入力された制御信号に基づいて、右バックライト８２を駆動制御する。右バックライト８２は、例えば、ＬＥＤやエレクトロルミネセンス（ＥＬ）等の発光体である。右ＬＣＤ制御部８３は、入力されたクロック信号ＰＣＬＫと、垂直同期信号ＶＳｙｎｃと、水平同期信号ＨＳｙｎｃと、右目用の画像データＤａｔａとに基づいて、右ＬＣＤ８４を駆動制御する。右ＬＣＤ８４は、複数の画素をマトリクス状に配置した透過型液晶パネルである。
【００６８】
右投写光学系８５は、右ＬＣＤ８４から射出された画像光を投写するものであり、例えば、コリメートレンズを用いて構成される。右光学像表示部１５としての右導光板８６は、光透過性の樹脂素材等によって形成され、右投写光学系８５から出力された画像光を、所定の光路に沿って反射させつつ使用者の右眼に導く。なお、右投写光学系８５と右導光板８６とを総称して「導光部」とも呼ぶ。導光部は、画像光を用いて使用者の眼前に虚像を形成する限りにおいて任意の方法を用いることができ、例えば、回折格子（一例としてホログラム素子）を用いても良いし、半透過反射膜を用いても良い。
【００６９】
左表示駆動部１４は、右表示駆動部１２と同様に、左バックライト（ＢＬ）制御部９１と、左バックライト（ＢＬ）９２と、左ＬＣＤ制御部９３と、左ＬＣＤ９４と、左投写光学系９５とを含んでいる（上記の右表示駆動部１２と同様に、左バックライト制御部９１、左バックライト９２、左ＬＣＤ制御部９３および左ＬＣＤ９４を総称して「画像光生成部」とも呼ぶ）。左表示駆動部１４に含まれる各要素の構成や機能は、右表示駆動部１２に含まれる各要素と同様であるため、ここでは説明を省略する。また、左光学像表示部１６としての左導光板９６は、光透過性の樹脂素材等によって形成され、左投写光学系９５から出力された画像光を、所定の光路に沿って反射させつつ使用者の左眼に導く。
【００７０】
図４は、使用者に認識される虚像の一例を説明する図である。上述のようにして、頭部装着型表示装置ＨＭの使用者の両眼に導かれた画像光が網膜に結像することにより、使用者は画像を虚像として視認することができる。図４に示すように、頭部装着型表示装置ＨＭを装着した使用者の視界１０１には、頭部装着型表示装置ＨＭが生成する虚像１０２が表示される。また、使用者の視界１０１の内、虚像１０２が表示される領域以外の領域には、使用者は右光学像表示部１５および左光学像表示部１６を透過して、外景１０３を見ることができる（以下、虚像１０２が表示される領域を「虚像表示領域１０４」と称し、これ以外の領域を「外景視認領域１０５」と称す）。また、本実施例の頭部装着型表示装置ＨＭでは、使用者の視界１０１の内の虚像１０２が表示される領域（虚像表示領域１０４）についても、虚像１０２の背後に外景１０３が透けて見えるようになっている。
【００７１】
次に、図５ないし図９を参照して、タッチパッド２２（操作面４１）の特定操作領域５２で操作（特定の操作）が行われた場合の処理について説明する。図５および図６は、操作面４１の水平操作領域５２ａで操作が行われた場合の処理について説明する図であり、図７および図８は、垂直操作領域５２ｂで操作が行われた場合の処理について説明する図である。また、図９は、コーナー操作領域５２ｃで操作が行われた場合の処理について説明する図である。
【００７２】
なお、図５ないし図９では、タッチパッド２２を横向きにした状態（図２（ｂ）参照）で使用するものとして説明するが、縦向きにした状態（図２（ａ）参照）で使用する場合も同様の処理を行うことができる。
【００７３】
図５は、使用者が指（指示体）を水平操作領域５２ａに接触させた状態でスライドさせ、スライド後、水平操作領域５２ａから指を離す操作が行われた場合の処理を説明する図である。
【００７４】
まず、図５（ａ）に示すように、虚像表示領域１０４（表示画面）に複数のアイコンＩＣ（ＩＣ１〜ＩＣ１５）がそれぞれ選択可能に表示されている状態で、特定操作領域５２内で使用者の指の接触が検出されると（使用者により特定操作領域５２内でタッチ操作またはタップ操作が行われると）、虚像表示領域１０４内に表示された複数のアイコンＩＣのうち、１つのアイコンＩＣにフォーカスがあたった状態になる。つまり、１つのアイコンＩＣが選択された状態になる。図５（ａ）では、操作面４１の水平操作領域５２ａにおいてタッチ操作（タップ操作）が行われることで、アイコンＩＣ１にフォーカスがあたった状態を示している（網掛け表示のアイコンＩＣは、フォーカスがあたっていることを示す）。
【００７５】
次に、アイコンＩＣ１にフォーカスがあたった状態で、使用者が指を水平操作領域５２ａに接触させた状態で右方向へスライドした後（矢印１１１のように指を移動させた後）、指を水平操作領域５２ａから離す操作が行われた場合、虚像表示領域１０４では、アイコンＩＣ１から、アイコンＩＣ１の１つ右側（指をスライドした方向）にあるアイコンＩＣ２にフォーカスが移動する（図５（ｂ）参照）。すなわち、使用者が水平操作領域５２ａで右方向へ指をスライドさせた後、指を離すことで、十字キーの右スイッチを１回押した場合（１回短押しした場合）と同様の処理が行われる。なお、図５（ｂ）の点線の指図形は、水平操作領域５２ａに指を接触させて右方向にスライドしている状態を示し、実線の指図形は、スライド後、水平操作領域５２ａから指を離した状態（非接触状態）を示している）。
【００７６】
なお、上述と同様の操作（指を右方向にスライドさせた後、離す操作）を繰り返し行うことで、フォーカスを「アイコンＩＣ２→アイコンＩＣ３→・・・」という具合に右方向に順次移動することができる。また、虚像表示領域１０４の端部に位置するアイコンＩＣ５にフォーカスがある状態で上述と同様の操作を行った場合は、アイコンＩＣ６にフォーカスが移動する。また、例えば、虚像表示領域１０４に表示しきれていないアイコンＩＣがアイコンＩＣ５の右側にある場合、且つアイコンＩＣ５にフォーカスがある状態で上述と同様の操作を行った場合は、画面全体を左側にスクロールさせてアイコンＩＣ５の右側にあるアイコンＩＣを虚像表示領域１０４に表示すると共に、当該アイコンＩＣにフォーカスを移動させる。これらは虚像表示領域１０４の端部に位置する他のアイコンＩＣに関しても同様である。また、以下の説明においても同様である。
【００７７】
なお、図５（ａ）では、使用者の指が操作面４１の上辺側の水平操作領域５２ａに接触することで、虚像表示領域１０４に表示されたアイコンＩＣ１にフォーカスがあたる様子を示しているが、あくまでも一例である。フォーカスをあてるアイコンＩＣを特定操作領域５２における指の接触位置に応じて決定してもよいし、あるいは、特定操作領域５２における指の接触位置にかかわらず、特定の位置にあるアイコンＩＣにフォーカスをあてるようにしても良い。
【００７８】
また、上述では、水平操作領域５２ａにおいて指を右方向にスライドした場合について説明したが、指を左方向にスライドさせた場合も同様の処理を行うことが可能である。この場合、現在選択されているアイコンＩＣの１つ左側（左隣）にあるアイコンＩＣにフォーカスが移動する。すなわち、使用者が水平操作領域５２ａで左方向へ指をスライドさせた後、指を離すことで、十字キーの左スイッチを１回押した場合（１回短押しした場合）と同様の処理を行うことができる。
【００７９】
また、図５（ｂ）では、操作面４１の上辺側の水平操作領域５２ａで操作が行われた場合について説明したが、操作面４１の下辺側の水平操作領域５２ａで操作した場合も同様の処理を行うことができる。
【００８０】
次に、図６を参照して、使用者が指を水平操作領域５２ａに接触させた状態でスライドし、スライド後の位置で指を接触させたまま維持する操作が行われた場合の処理について説明する。なお、特定操作領域５２内での使用者の指の接触を検出し、虚像表示領域１０４内に表示された複数のアイコンＩＣのうち、１つのアイコンＩＣにフォーカスをあてる処理は上述と同様であるため、説明を省略する。以下の説明においても同様である。
【００８１】
虚像表示領域１０４に表示されたアイコンＩＣ１にフォーカスがあたった状態で（図６（ａ）参照）、使用者により水平操作領域５２ａに指を接触させた状態で右方向にスライドした後（矢印１１２のように指を移動した後）、スライド後の位置で指を接触させたまま維持する操作が行われた場合、虚像表示領域１０４では、使用者が指を接触させたまま維持している間、アイコンＩＣ１から、アイコンＩＣ１の右方向にあるアイコンＩＣ（同図では、アイコンＩＣ２〜アイコンＩＣ５）に向かって所定時間間隔で連続してフォーカスが移動する（図６（ｂ）参照。同図の点線の指図形は、水平操作領域５２ａに指を接触させて右方向にスライドしている状態を示し、実線の指図形は、スライド後の位置において指を接触させたまま維持している状態を示している）。
【００８２】
つまり、図６（ｂ）では、使用者が水平操作領域５２ａで指を接触させたまま維持している間、フォーカスが、「アイコンＩＣ１→アイコンＩＣ２→アイコンＩＣ３・・・→アイコンＩＣ５」の順に連続的に移動し、使用者が水平操作領域５２ａから指を離した時にフォーカスの移動が中断され、その時点でフォーカスがあたっているアイコンＩＣ（同図では、アイコンＩＣ５）にフォーカスが固定される。すなわち、使用者が水平操作領域５２ａで右方向へ指をスライドさせた後、指を接触させたまま維持することで、十字キーの右スイッチを長押しして、連続的にフォーカスを移動させる場合と同様の処理が行われる。
【００８３】
なお、上述では、水平操作領域５２ａにおいて指を右方向にスライドした場合について説明したが、指を左方向にスライドさせた場合も同様の処理を行うことが可能である。この場合、現在選択されているアイコンＩＣの左方向にあるアイコンＩＣに対して連続的にフォーカスが移動する。すなわち、使用者が水平操作領域５２ａで左方向へ指をスライドさせた後、指を接触させたまま維持することで、十字キーの左スイッチを長押しして、連続的にフォーカスを移動させる場合と同様の処理を行うことができる。
【００８４】
また、図６（ｂ）では、操作面４１の上辺側の水平操作領域５２ａで操作が行われた場合について説明したが、操作面４１の下辺側の水平操作領域５２ａで操作した場合も同様の処理を行うことができる。
【００８５】
なお、図５および図６では、画像表示装置１０を水平にし、虚像表示領域１０４の長辺が上下に、短辺が左右に位置する向き（以下、「横向き」という）で使用する場合を例示している。この場合、上述のように水平操作領域５２ａで左右方向のスライド操作を行うことにより、フォーカスは虚像表示領域１０４の長辺に沿った方向（以下、「虚像表示領域１０４の横方向」という）に移動する。一方、画像表示装置１０を垂直にし、虚像表示領域１０４の長辺が左右に、短辺が上下に位置する向き（以下、「縦向き」という）で使用することも考えられるが、この場合も上述と同様に、左右方向のスライド操作を行った場合、フォーカスは虚像表示領域１０４の長辺に沿った方向に移動する。すなわち、左右方向のスライド操作を行った場合、画像表示装置１０の向きにかかわらず、フォーカスは虚像表示領域１０４（画像表示装置１０）の横方向（長辺に沿った方向）に移動する。
【００８６】
次に、図７を参照して、使用者が指を垂直操作領域５２ｂに接触させた状態でスライドし、スライド後、垂直操作領域５２ｂから指を離す操作が行われた場合の処理を説明する。
【００８７】
虚像表示領域１０４に表示されたアイコンＩＣ１にフォーカスがあたった状態で（図７（ａ）参照）、使用者が指を垂直操作領域５２ｂに接触させた状態で下方向へスライドした後（矢印１１３のように指を移動させた後）、指を垂直操作領域５２ｂから離す操作が行われた場合、虚像表示領域１０４では、アイコンＩＣ１から、アイコンＩＣ１の１つ下側にあるアイコンＩＣ６にフォーカスが移動する（図７（ｂ）参照）。すなわち、使用者が垂直操作領域５２ｂで下方向へ指をスライドさせた後、指を離すことで、十字キーの下スイッチを１回押した場合（１回短押しした場合）と同様の処理が行われる。なお、図７（ｂ）の点線の指図形は、垂直操作領域５２ｂに指を接触させて下方向にスライドしている状態を示し、実線の指図形は、スライド後、垂直操作領域５２ｂから指を離した状態（非接触状態）を示している。
【００８８】
なお、上述と同様の操作（指を下方向にスライドさせた後、離す操作）を繰り返し行うことで、フォーカスを「アイコンＩＣ１→アイコンＩＣ６→アイコンＩＣ１１」という具合に下方向に順次移動することができる。また、虚像表示領域１０４の端部に位置するアイコンＩＣ１１にフォーカスがある状態で上述と同様の操作を行った場合は、アイコンＩＣ２にフォーカスが移動する。また、例えば、虚像表示領域１０４に表示しきれていないアイコンＩＣがアイコンＩＣ１１の下側にある場合、且つアイコンＩＣ１１にフォーカスがある状態で上述と同様の操作を行った場合は、画面全体を上側にスクロールさせ、アイコンＩＣ１１の下側にあるアイコンＩＣを虚像表示領域１０４に表示すると共に、当該アイコンＩＣにフォーカスを移動させる。これらは虚像表示領域１０４の端部に位置する他のアイコンＩＣに関しても同様である。また、以下の説明においても同様である。
【００８９】
なお、上述では、垂直操作領域５２ｂにおいて指を下方向にスライドした場合について説明したが、指を上方向にスライドさせた場合も同様の処理を行うことが可能である。この場合、現在選択されているアイコンＩＣの１つ上側にあるアイコンＩＣにフォーカスが移動する。すなわち、使用者が垂直操作領域５２ｂで上方向へ指をスライドさせた後、指を離すことで、十字キーの上スイッチを１回押した場合（１回短押しした場合）と同様の処理を行うことができる。
【００９０】
また、図７（ｂ）では、操作面４１の右辺側の垂直操作領域５２ｂで操作が行われた場合について説明したが、操作面４１の左辺側の垂直操作領域５２ｂで操作した場合も同様の処理を行うことができる。
【００９１】
次に、図８を参照して、使用者が指を垂直操作領域５２ｂに接触させた状態でスライドし、スライド後の位置で指を接触させたまま維持する操作が行われた場合の処理について説明する。
【００９２】
虚像表示領域１０４に表示されたアイコンＩＣ１にフォーカスがあたった状態で（図８（ａ）参照）、使用者により垂直操作領域５２ｂに指を接触させた状態で下方向にスライドした後（矢印１１４のように指を移動した後）、スライド後の位置で指を接触させたまま維持する操作が行われた場合、虚像表示領域１０４では、使用者が指を接触させたまま維持している間、アイコンＩＣ１から、アイコンＩＣ１の下方向にあるアイコンＩＣに向かって所定時間間隔で連続してフォーカスが移動する（図８（ｂ）参照。なお、同図の点線の指図形は、垂直操作領域５２ｂに指を接触させて下方向にスライドしている状態を示し、実線の指図形は、スライド後の位置において指を接触させたまま維持している状態を示している）。
【００９３】
つまり、図８（ｂ）では、使用者が垂直操作領域５２ｂで指を接触させたまま維持している間、フォーカスが、「アイコンＩＣ１→アイコンＩＣ６→アイコンＩＣ１１」の順に連続的に移動し、使用者が垂直操作領域５２ｂから指を離した時にフォーカスの移動が中断され、その時点でフォーカスがあたっているアイコンＩＣ（同図では、アイコンＩＣ１１）にフォーカスが固定される。すなわち、使用者が垂直操作領域５２ｂで下方向へ指をスライドさせた後、指を接触させたまま維持することで、十字キーの下スイッチを長押しして、連続的にフォーカスを移動させる場合と同様の処理が行われる。
【００９４】
なお、上述では、垂直操作領域５２ｂにおいて指を下方向にスライドした場合について説明したが、指を上方向にスライドさせた場合も同様の処理を行うことが可能である。この場合、現在選択されているアイコンＩＣの上方向にあるアイコンＩＣに対して連続的にフォーカスが移動する。すなわち、使用者が垂直操作領域５２ｂで上方向へ指をスライドさせた後、指を接触させたまま維持することで、十字キーの上スイッチを長押しして、連続的にフォーカスを移動させる場合と同様の処理を行うことができる。
【００９５】
また、図８（ｂ）では、操作面４１の右辺側の垂直操作領域５２ｂで操作が行われた場合について説明したが、操作面４１の左辺側の垂直操作領域５２ｂで操作した場合も同様の処理を行うことができる。
【００９６】
なお、図７および図８では、画像表示装置１０を横向きで使用する場合を例示している。この場合、上述のように垂直操作領域５２ｂで上下方向のスライド操作を行うことにより、フォーカスは虚像表示領域１０４の短辺に沿った方向（以下、「虚像表示領域１０４の縦方向」という）に移動する。一方、画像表示装置１０を縦向きで使用することも考えられるが、この場合も上述と同様に、上下方向のスライド操作を行った場合、フォーカスは虚像表示領域１０４の短辺に沿った方向に移動する。すなわち、上下方向のスライド操作を行った場合、画像表示装置１０の向きにかかわらず、フォーカスは虚像表示領域１０４（画像表示装置１０）の縦方向（短辺に沿った方向）に移動する。
【００９７】
次に、図９を参照して、使用者が指をコーナー操作領域５２ｃにタップする操作が行われた場合の処理について説明する。このコーナー操作領域５２ｃへのタップ操作は、虚像表示領域１０４に表示されたアイコンＩＣのうちのいずれか１つのアイコンＩＣにフォーカスがあたった状態で行われる。
【００９８】
図９に示すように、虚像表示領域１０４に表示されたアイコンＩＣ５にフォーカスがあたった状態で、使用者により右上隅のコーナー操作領域５２ｃをタップする操作が行われた場合、現在フォーカスがあたっているアイコンＩＣ５（現在選択されているアイコンＩＣ５）に関連付けられているプログラム（アプリケーションプログラム）を実行する。すなわち、使用者がコーナー操作領域５２ｃをタップすることで、確定ボタン（実行ボタン）を押下した場合と同様の処理が行われる。
【００９９】
なお、上述では、右上隅のコーナー操作領域５２ｃをタップする操作が行われた場合について説明したが、その他の３隅のコーナー操作領域５２ｃを操作した場合も同様の処理が行われる。すなわち、図９において、右下隅、左上隅、左下隅のコーナー操作領域５２ｃをタップしても、アイコンＩＣ５に対応づけられたプログラムを実行することができる。
【０１００】
以上説明したように、本実施形態によれば、使用者は操作面４１上の特定操作領域５２で特定の操作をするだけで、その操作に応じた機能を実行することができる。このため、従来のように、表示画面を見ながら、操作面４１上で何度も指（指示体）をスライドさせてポインターを目的の位置に移動させるなどの煩雑な操作を行う必要がなく、直感的な操作を行うことができ、操作性を向上させることができる。また、使用者の操作に係る負担を軽減できる。
【０１０１】
特に、特定操作領域５２で指をスライドさせた後、特定操作領域５２から指を離す操作をすることで、現在選択されているアイコンＩＣ（オブジェクト）の１つ上側、１つ下側、１つ左側または１つ右側にあるオブジェクトにフォーカスを移動させる。すなわち、一般的な十字キーの上下スイッチや左右スイッチを１回押して（短押しして）アイコンＩＣのフォーカスを移動する場合と同様の機能を実現できる。これにより、操作面４１上の簡単な操作で、確実に目的のアイコンＩＣを選択できるため、使い勝手がよく、操作性を向上させることができる。
【０１０２】
また、特定操作領域５２で指をスライドした後、スライド後の位置で指を接触させたまま維持することで、現在選択されているアイコンＩＣの上方向、下方向、左方向または右方向にある他のアイコンＩＣに対して順次フォーカスを移動させる。すなわち、一般的な十字キーの上下スイッチや左右スイッチを長押しして、連続的にフォーカスを移動させる場合と同様の機能を実現できる。これにより、選択したい（フォーカスをあてたい）アイコンＩＣが、現在選択されているアイコンＩＣから離れた位置にある場合であっても、操作面４１上の簡単な操作で、確実に目的のアイコンＩＣを選択できるため、使い勝手がよく、操作性を向上させることができる。
【０１０３】
なお、本実施例では、特定操作領域５２における操作により、アイコンＩＣに対するフォーカスの移動、およびアイコンＩＣに関連付けられたプログラムの実行を行うことについて説明したが、これに限定されるものではない。例えば、複数の選択項目を有する選択画面において、所望の選択項目を選択するためにフォーカスを移動する操作、あるいは所望の選択項目に関連付けられたプログラムを実行する操作にも適用可能である。また、アプリケーションにおけるオブジェクトの選択（例えば、「ＯＫボタン」や「キャンセルボタン」の選択や、表計算ソフトのセルの選択など）や、サムネイル表示した画像（写真など）の選択や、ソフトウェアキーボードにおける文字の選択などを行う操作にも適用可能である。
【０１０４】
また、本実施例では、操作面４１の上辺近傍および下辺近傍に沿って水平操作領域５２ａを設け、左辺近傍および右辺近傍に沿って垂直操作領域５２ｂを設け、四隅にコーナー操作領域５２ｃを設けているが、これに限定されるものではない。例えば、操作面４１の上辺近傍および下辺近傍のいずれか一方に沿って水平操作領域５２ａを設定し、操作面４１の左辺近傍および右辺近傍のいずれか一方に沿って垂直操作領域５２ｂを設定し、その交差領域をコーナー操作領域５２ｃとして設定しても良い。
【０１０５】
また、本実施例では、特定操作領域５２を操作面４１の内側周縁に設けているが、これに限定されるものではなく、操作面４１おける特定操作領域５２の位置や形状は問わない。
【０１０６】
また、操作面４１上で特定の操作を受け付けるか否かをモードにより切り替え可能としても良い。例えば、モードがＯＮの場合は特定操作領域５２内での特定の操作を受け付け、モードがＯＦＦの場合は特定操作領域５２内での特定の操作を受け付けないようにする。この場合、特定操作領域５２は操作面４１全体で有っても良い。
【０１０７】
また、本実施例では、特定の操作として、スライド操作およびタップ操作を例示しているが、これに限定されるものではない。特定の操作として、他の操作を採用することも可能である。
【０１０８】
また、操作面４１に対する特定操作領域５２のサイズ（例えば、水平操作領域５２ａの垂直方向の幅や、垂直操作領域５２ｂの水平方向の幅など）を固定ではなく、変更できるようにしても良い。この場合、コントローラー２０において、特定操作領域５２のサイズを設定するための設定部を設ける構成とし、使用者が自身で使い勝手の良いサイズを設定すれば良い。
【０１０９】
また、本実施例のタッチパッド２２は静電容量式のタッチパッドであっても良いし、抵抗膜式のタッチパッドであっても良い。静電容量式のタッチパッドの場合、上述のスライド操作は必ずしも操作面４１に接触する必要はなく、操作面４１に近接してスライドする操作も含まれる。また、操作面に近接した状態における指示体のスライド操作を検出する方法として、赤外線や光センサー等を用いる構成とすることも可能である。
【０１１０】
また、本実施形態では、タッチパッド２２の操作面４１に対する指示体として、使用者の指を例に説明したが、本発明は指示体の種類に限定されるものではない。
【０１１１】
また、特定操作領域５２の操作時に、当該操作内容を示す情報（操作案内情報）を虚像表示領域１０４に表示するようにしても良い。例えば、図５（ｂ）のように、特定操作領域５２（水平操作領域５２ａ）で、指を右方向にスライド操作をした場合、虚像表示領域１０４に右矢印の図形などを表示しても良い。また、操作案内情報の表示／非表示を切り替え可能にしても良い。
【０１１２】
また、上述で説明した、特定操作領域５２に対する各操作（スライド操作など）、および各操作に対応する機能（十字キーと同様の機能など）は一例であり、これに限定されるものではない。例えば、特定操作領域５２の所定位置にコマンドランチャーを起動する機能や、コピー、ペースト、画面キャプチャーなどの機能、画像などをページ送りする機能を割り当て、所定位置をタップ操作あるいはスライド操作することで当該所定位置に割り当てられた各機能を実行するようにしても良い。また例えば、特定操作領域５２の所定位置（例えば、左右の水平操作領域５２ａおよび上下の垂直操作領域５２ｂ）を所定の順番でタップ操作することで暗証番号の入力によるロック／解除を行う機能を割り当てても良い。
【０１１３】
また、本実施例では、コントローラー２０と画像表示装置１０とが接続部３０により有線接続される構成を例示しているが、コントローラー２０と画像表示装置１０とが無線ＬＡＮや赤外線通信、Ｂｌｕｅｔｏｏｔｈ（登録商標）等により接続する構成としても良い。
【０１１４】
また、本実施例では、表示装置として両眼タイプの頭部装着型表示装置ＨＭ（光学透過型頭部装着型表示装置）を例示しているが、本発明は、例えばビデオ透過型や非透過型、単眼タイプ等の他の形式の頭部装着型表示装置にも適用可能である。また、上記実施例では、眼の前方を覆う眼鏡タイプの頭部装着型表示装置ＨＭを例示しているが、これに限るものではなく、眼の前方を完全に覆わないタイプ（眼の前方の一部を覆うタイプ）の頭部装着型表示装置にも適用可能である。さらに、本発明の入力装置は、頭部装着型表示装置に限らず、ヘッドアップディスプレイや、パーソナルコンピューター、プロジェクター、テレビ、携帯情報端末（ＰＤＡ、携帯電話、時計型携帯電話）といった他の情報処理装置にも適用可能である。
【０１１５】
また、上記実施例では、画像光生成部は、バックライト制御部（右バックライト制御部８１および左バックライト制御部９１）と、バックライト（右バックライト８２および左バックライト９２）と、ＬＣＤ制御部（右ＬＣＤ制御部８３および左ＬＣＤ制御部９３）と、ＬＣＤ（右ＬＣＤ８４および左ＬＣＤ９４）とを用いて構成されるものとしたが、この様態はあくまでも一例である。画像光生成部は、これらの構成部と共に、またはこれらの構成部に代えて、他の方式を実現するための構成部を備えても良い。
【０１１６】
例えば、画像光生成部は、有機ＥＬ（有機エレクトロルミネッセンス，Organic  Electro-Luminescence）のディスプレイと、有機ＥＬ制御部とを備える構成としても良い。また、例えば、画像光生成部は、ＬＣＤに代えて、ＬＣＯＳ（Liquid  crystal  on  silicon，ＬＣｏＳは登録商標）や、デジタル・マイクロミラー・デバイス等を用いることもできる。また、例えば、レーザー網膜投影型の頭部装着型表示装置に対して本発明を適用することも可能である。レーザー網膜投影型の場合、「画像光生成部における画像光の射出可能領域」とは、使用者の眼に認識される画像領域として定義することができる。すなわち、この画像領域は、本実施形態における虚像表示領域１０４に相当する。また、頭部装着型表示装置の光学系は、外光を光学部材を透過させて画像光と共に使用者の眼に入射させるもので有り使用者の眼の一部を覆うものであっても良く、光学部材はレーザー等の走査方式の画像光であっても良く、光学部材は画像光を部材内部を導光させる物に限らず、使用者の眼の方向に屈折または反射させる機能のみを有しても良い。
【０１１７】
また、本実施例では、光学系として画像光生成部で射出された画像光を投写する投写光学系（右投写光学系８５および左投写光学系９５）を適用しているが、この様態はあくまでも一例である。例えば、光学系としてＭＥＭＳミラーで構成された走査光学系を採用し、走査光学系に信号光を射出する信号光変調部（信号光形成部）を備える構成としても良い。この場合、信号光変調部で形成し射出された信号光をスキャン部である走査光学系（ＭＥＭＳミラー）に入射する。走査光学系は信号光を走査光としてハーフミラー層を有する導光体に向けて射出し、ハーフミラー層の面上において走査光が走査されることにより、画像光による虚像が形成され、この虚像を使用者が眼で捉えることで画像を認識することができる。この場合、使用者の眼が画像を認識する領域が、本実施形態における虚像表示領域１０４に相当する。
【０１１８】
また、上記の実施形態に示したコントローラー２０の各機能（各処理）をプログラムとして提供することが可能である。また、そのプログラムを各種記録媒体（ＣＤ−ＲＯＭ、フラッシュメモリ等）に格納して提供することも可能である。すなわち、コンピューターを、コントローラー２０の各構成要素として機能させるためのプログラム、およびそれを記録した記録媒体も、本発明の権利範囲に含まれるものである。
【０１１９】
また、上述した実施例によらず、頭部装着型表示装置ＨＭやコントローラー２０の装置構成や処理工程等について、本発明の要旨を逸脱しない範囲で、適宜変更も可能である。
【符号の説明】
【０１２０】
１０…画像表示装置  ２０…コントローラー  ２２…タッチパッド  ４１…操作面  ５１…通常操作領域  ５２…特定操作領域  ５２ａ…水平操作領域  ５２ｂ…垂直操作領域  ５２ｃ…コーナー操作領域  ７２…操作制御部  ７３…画像処理部  ７４…表示制御部  １０４…虚像表示領域  ＨＭ…頭部装着型表示装置
【図１】
2014154074.tif 000003
【図２】
2014154074.tif 000004
【図３】
2014154074.tif 000005
【図４】
2014154074.tif 000006
【図５】
2014154074.tif 000007
【図６】
2014154074.tif 000008
【図７】
2014154074.tif 000009
【図８】
2014154074.tif 000010
【図９】
2014154074.tif 000011